(57)【要約】【課題】電子機器に用いられるスイッチの操作性や動作の確実性などを向上させるとともにコスト増を抑制する。【解決手段】外観カバー６と基板７とを離間させて設け、開口６ａに案内される突起部１１１と、レリーズボタン１１０の上方への移動を規制する鍔部１１２と、ガイド穴７ａに案内される脚部１１３とを備えたレリーズボタン１１０を、外観カバー６と基板７との間に設けるように構成した。これにより、外観カバー６と基板７との間にガイドプレートのようなレリーズボタン１１０の案内部材を設ける必要がないので、レリーズスイッチ１００および電子カメラのコスト増を抑制できる。【選択図】図２
2007280842.tif 000002
【特許請求の範囲】
【請求項１】
操作部材を第１の方向に移動させることにより接点を操作するスイッチであって、
第１の開口部を有する第１の基板と、
第２の開口部を有し、前記第１の基板から前記第１の方向に間隔を隔てて備えられる第２の基板と、
前記第１の開口部の開口に案内される突起部と、前記第１の基板と前記第２の基板との間に備えられ前記第１の開口部により移動が規制される鍔部と、前記第２の開口部の開口に案内される脚部とを有する操作部材とを備えることを特徴とするスイッチ。
【請求項２】
請求項１に記載されたスイッチであって、
前記鍔部は、前記突起部と前記脚部との間に備えられ、前記第１の方向と直交する方向の長さが前記第１の開口部の開口よりも大きいことを特徴とするスイッチ。
【請求項３】
請求項１または請求項２に記載されたスイッチであって、
前記第１の基板と前記第２の基板との間に備えられ、前記第１の基板と前記第２の基板とを相対的に位置決めする位置決め部材を含むことを特徴とするスイッチ。
【請求項４】
請求項１〜３のいずれか一項に記載されたスイッチであって、
前記第２の開口部および前記脚部は、複数であり、
前記脚部のそれぞれは、前記第２の開口部の開口のそれぞれに案内され、
前記第２の基板のうち前記複数の第２の開口部によって囲まれた部分に前記接点が備えられていることを特徴とするスイッチ。
【請求項５】
請求項１〜４のいずれか一項に記載されたスイッチであって、
前記第１の基板と前記鍔部との間に備えられた弾性部材を含むことを特徴とするスイッチ。
【請求項６】
請求項１〜５のいずれか一項に記載されたスイッチであって、
前記脚部に沿って備えられ前記操作部材を付勢する付勢部材を含むことを特徴とするスイッチ。
【請求項７】
請求項１〜６のいずれか一項に記載のスイッチを用いたことを特徴とする電子機器。
【発明の詳細な説明】
【技術分野】
【０００１】
本発明は、操作部材を有するスイッチおよびこのスイッチを用いた電子機器に関する。
【背景技術】
【０００２】
操作部材を操作することで接点を閉じ、または開くスイッチとして種々の構造のものが知られており、操作部材の操作性や動作の確実性などを向上するように構成されたスイッチもある。たとえば、ガイドプレートによって接点部分の移動方向を規制することで、確実に接点が閉じられるように構成されたスイッチが知られている（特許文献１参照）。しかし、従来のスイッチでは、ガイドプレートという新たな部品を追加する必要があり、コスト増の要因となっている。
【０００３】
【特許文献１】実開平６−７０１３１号公報
【発明の開示】
【発明が解決しようとする課題】
【０００４】
本発明の課題は、コスト増を抑制し得るスイッチおよび電子機器を提供することである。
【課題を解決するための手段】
【０００５】
本発明は、以下のような解決手段により前記課題を解決する。なお、理解を容易にするために、本発明の一実施例を示す図面に対応する符号を付して説明するが、これに限定されるものではない。
（１）  請求項１の発明によるスイッチは、操作部材（１１０）を第１の方向に移動させることにより接点（１２０）を操作するスイッチ（１００）であって、第１の開口部（６ａ）を有する第１の基板（６）と、第２の開口部（７ａ）を有し、第１の基板（６）から第１の方向に間隔を隔てて備えられる第２の基板（７）と、第１の開口部（６ａ）の開口に案内される突起部（１１１）と、第１の基板（６）と第２の基板（７）との間に備えられ第１の開口部（６ａ）により移動が規制される鍔部（１１２）と、第２の開口部（７ａ）の開口に案内される脚部（１１３）とを有する操作部材（１１０）とを備えることを特徴とする。
（２）  請求項２の発明は、請求項１に記載されたスイッチであって、鍔部（１１２）は、突起部（１１１）と脚部（１１３）との間に備えられ、第１の方向と直交する方向の長さが第１の開口部（６ａ）の開口よりも大きいことを特徴とする。
（３）  請求項３の発明は、請求項１または請求項２に記載されたスイッチであって、第１の基板（６）と第２の基板（７）との間に備えられ、第１の基板（６）と第２の基板（７）とを相対的に位置決めする位置決め部材（６ｂ，６ｃ，７ｂ）を含むことを特徴とする。
（４）  請求項４の発明は、請求項１〜３のいずれか一項に記載されたスイッチであって、第２の開口部（７ａ）および脚部（１１３）は、複数であり、脚部（１１３）のそれぞれは、第２の開口部（７ａ）の開口のそれぞれに案内され、第２の基板（７）のうち複数の第２の開口部（７ａ）によって囲まれた部分に接点（１２０）が備えられていることを特徴とする。
（５）  請求項５の発明は、請求項１〜４のいずれか一項に記載されたスイッチであって、第１の基板（６）と鍔部（１１２）との間に備えられた弾性部材（１４０）を含むことを特徴とする。
（６）  請求項６の発明は、請求項１〜５のいずれか一項に記載されたスイッチであって、脚部（１１３）に沿って備えられ操作部材（１１０）を付勢する付勢部材（１３０）を含むことを特徴とする。
（７）  請求項７の発明による電子機器は、請求項１〜６のいずれか一項に記載のスイッチ（１００）を用いたことを特徴とする。
なお、符号を付して説明した構成は適宜改良してもよく、また、少なくとも一部を他の構成物に代替してもよい。
【発明の効果】
【０００６】
本発明によれば、スイッチおよび電子機器のコスト増を抑制できる。
【発明を実施するための最良の形態】
【０００７】
以下、図面等を参照して、本発明の実施例を挙げて、さらに詳しく説明する。なお、本発明の電子機器は、たとえば、スチルカメラ、ビデオカメラ、ＣＲＴ（陰極線管）型テレビ、液晶テレビ等の映像装置、携帯電話等の通信装置などとすることができるが、以下の実施例では、一眼レフ型のカメラを例にとって説明する。
【０００８】
図１は、本発明によるスイッチを用いた電子カメラである、一眼レフタイプのカメラボディ１と、カメラボディ１に装着する撮影レンズ２を示した斜視図である。カメラボディ１にはレリーズスイッチ１００と、撮像素子であるＣＣＤ５と、カメラボディ１の各部を制御する制御回路１０とが設けられている。６は、カメラボディ１の外観カバーであり、３０１は、撮影レンズ２からの被写体像をＣＣＤ５に導くための撮影光路であり、３２１はメインミラーである。
【０００９】
図２（ａ），（ｂ）は、レリーズスイッチ１００の詳細を示す図である。図２（ａ）はレリーズスイッチ１００の近傍をカメラボディ１の上方から見た図であり、図２（ｂ）は図２（ａ）のＢ−Ｂ断面図である。説明の便宜上、図２（ｂ）において、上下方向を図示のとおりに規定する。レリーズスイッチ１００は、いわゆる自動復帰型のスイッチであり、レリーズボタン１１０と、ドームスイッチ１２０と、コイルバネ１３０と、シール部材１４０とを備えている。なお、後述するように、外観カバー６および基板７によってレリーズボタン１１０が位置決めされているので、外観カバー６および基板７もレリーズスイッチ１００の構成要素である。
【００１０】
基板７は、後述するドームスイッチ１２０、その他の各種デバイスが搭載される基板であり、カメラボディ１の不図示の取付部に取り付けられて固定されている。基板７には、ガイド穴７ａと、位置決め穴７ｂとが設けられている。レリーズボタン１１０の近傍の外観カバー６には、レリーズボタン１１０の頭部が突出する開口６ａと、基板７との相対位置を決定するために基板７の位置決め穴７ｂに挿入される脚部６ｂとが設けられている。外観カバー６は、カメラボディ１の不図示の取付部に取り付けられて、基板７と所定距離だけ離間した状態で固定されている。
【００１１】
脚部６ｂは、円柱状の突設部位であり、外観カバー６が基板７に対向した際の、位置決め穴７ｂに対応するように設けられている。脚部６ｂの外径は、位置決め穴７ｂの内径に略等しくなるように設定されている。このため、脚部６ｂが位置決め穴７ｂに挿入されると、外観カバー６と基板７との、図２（ａ）における紙面の左右方向および紙面に垂直な方向への移動が規制される。また、外観カバー６および基板７は、上述のように互いに所定距離だけ離間した状態でカメラボディ１に固定される。すなわち、外観カバー６と基板７とは、脚部６ｂが位置決め穴７ｂに挿入されること、および、カメラボディ１の不図示の取付部に取り付けられることによって互いの相対位置が決定されている。
【００１２】
レリーズボタン１１０は、ユーザが押圧操作を行うための操作部材であり、略円柱状の頭部（突起部）１１１と、突起部１１１の下端面１１１ａの周囲に鍔状に張り出した鍔部１１２とを有する。また、レリーズボタン１１０は、突起部１１１の下端面１１１ａから突起部１１１の軸線ＡＸに沿って下方に延在する互いに離間した２本の脚部１１３と、２本の脚部１１３の間で突起部１１１の下端面１１１ａの中央から軸線ＡＸに沿って延在する接点押圧部１１４とを備えている。レリーズボタン１１０は、突起部１１１が開口６ａに挿入されて上方に突出され、脚部１１３がガイド穴７ａに挿入された状態で、外観カバー６と基板７との間に配設されている。
【００１３】
ドームスイッチ１２０は、頂部が圧下されるとオンされる接点を有するスイッチであり、基板７の上面に取り付けられている。レリーズボタン１１０が圧下されると、接点押圧部１１４によってドームスイッチ１２０の頂部が圧下される。なお、ドームスイッチ１２０は、頂部が下方に向かって圧下される距離（圧下ストローク）に応じて、オフ信号と、第１のオン信号と、第２のオン信号とを出力するように構成されている。
【００１４】
圧下ストロークが所定距離ａ未満となる場合、ドームスイッチ１２０はオフ信号を出力する。圧下ストロークが所定距離ａ以上、かつ、所定距離ａよりも大きい所定距離ｂ未満となる場合、ドームスイッチ１２０は第１のオン信号を出力する。圧下ストロークが所定距離ｂ以上となる場合、ドームスイッチ１２０は第２のオン信号を出力する。
【００１５】
ドームスイッチ１２０の配設位置は、カメラボディ１の上方から見たときに、開口６ａに挿入された突起部１１１の中心位置と略一致する位置である（図２（ａ））。したがって、突起部１１１の中心位置に設けられた接点押圧部１１４の配設位置とも略一致する。
【００１６】
コイルバネ１３０は、レリーズボタン１１０を上方に付勢する付勢部材であり、２本の脚部１１３が挿入された状態で、基板７の上面と、レリーズボタン１１０の下端面１１１ａとの間に配設されている。すなわち、コイルバネ１３０は脚部１１３に沿って備えられて、レリーズボタン１１０を上方に付勢している。
【００１７】
シール部材１４０は、外観カバー６の下面であって、開口６ａの周囲に貼り付けられた弾性部材である。シール部材１４０の中央には、レリーズボタン１１０の突起部１１１が挿通される穴が設けられている。この穴は、突起部１１１の側面の全周にわたって摺動可能に接触している。なお、シール部材１４０の材質は、軟質で容易に弾性変形する材質であればよく、たとえばゴムやスポンジなどを用いることができる。
【００１８】
レリーズボタン１１０は、上述したように外観カバー６と基板７との間に配設され、コイルバネ１３０によって上方に付勢されている。鍔部１１２の外径は、穴６ａの内径よりも大きくなるように設定されている。そのため、上方に付勢されたレリーズボタン１１０は、鍔部１１２がシール部材１４０を介して外観カバー６の穴６ａの周囲の面に当接して、上方への移動が規制される。この状態では、ドームスイッチ１２０の頂部と、接点押圧部１１４はわずかに離間した状態となる。レリーズボタン１１０が圧下されると、接点押圧部１１４がドームスイッチ１２０の頂部と当接してこれを圧下する。したがって、レリーズボタン１１０の圧下量はドームスイッチ１２０の圧下ストロークに略等しくなる。
【００１９】
脚部１１３は、円柱状の２本の突設部位であり、互いの離間距離が基板７の２つのガイド穴７ａの離間距離と略等しい。脚部１１３の外径およびガイド穴７ａの内径は、脚部１１３がガイド穴７ａに挿入されてもがたつきが発生せず、かつ、脚部１１３がガイド穴７ａに案内されてスムーズに摺動できるように設定されている。
【００２０】
図２（ｂ）において、下方に向かってレリーズボタン１１０が圧下された際に、突起部１１１が開口６ａに案内されるが、突起部１１１の外径および開口６ａの内径は、突起部１１１と開口６ａとがわずかに離間するように設定されている。なお、シール部材１４０が突起部１１１の側面の全周にわたって摺動可能に接触しているので、外部の塵埃等がカメラボディ１の内部に侵入し難い構造となっている。また、カメラボディ１を上方から見ても、開口６ａと突起部１１１との隙間からシール部材１４０は見えるがカメラボディ１の内部は見えない。
【００２１】
このように構成されるレリーズスイッチ１００を有する電子カメラでは、不図示の電源スイッチがオンされて、レリーズボタン１１０が圧下されると、次のように動作する。レリーズボタン１１０がコイルバネ１３０の付勢力に抗して圧下されて、ドームスイッチ１２０の圧下ストロークが所定距離ａに達すると、ドームスイッチ１２０から第１のオン信号が制御回路１０に出力される。すなわち、レリーズボタン１１０が半押しされると、ドームスイッチ１２０から半押し信号が制御回路１０に出力される。制御回路１０は、半押し信号を受信すると、測距や測光などを行うようにカメラボディ１の各部を制御する。
【００２２】
さらにレリーズボタン１１０が圧下されて、ドームスイッチ１２０の圧下ストロークが所定距離ｂに達すると、ドームスイッチ１２０から第２のオン信号が制御回路１０に出力される。すなわち、レリーズボタン１１０が全押しされると、ドームスイッチ１２０から全押し信号が制御回路１０に出力される。制御回路１０は、全押し信号を受信すると、ＣＣＤ５で被写体像を撮像するようにカメラボディ１の各部を制御する。
【００２３】
レリーズボタン１１０が圧下される際には、脚部１１３がガイド穴７ａに案内されて下方に移動するので、突起部１１１の軸線ＡＸ方向と異なる方向に突起部１１１が押圧されても、レリーズボタン１１０は外観カバー６および基板７に対して垂直に移動する。
【００２４】
レリーズボタン１１０が圧下されなくなると、コイルバネ１３０の付勢力によって上方へ移動し、圧下される前の位置に戻る。その結果、ドームスイッチ１２０の圧下ストロークも０となり、オフ信号が出力されるようになる。
【００２５】
上述したレリーズスイッチ１００および電子カメラでは次の作用効果を奏する。
（１）  外観カバー６と基板７とを離間させて設け、開口６ａに案内される突起部１１１と、レリーズボタン１１０の上方への移動を規制する鍔部１１２と、ガイド穴７ａに案内される脚部１１３とを備えたレリーズボタン１１０を、外観カバー６と基板７との間に設けるように構成した。これにより、外観カバー６と基板７との間にガイドプレートのようなレリーズボタン１１０の案内部材を設ける必要がないので、レリーズスイッチ１００および電子カメラのコスト増を抑制できる。
【００２６】
（２）  脚部１１３がガイド穴７ａに挿入されてもがたつきが発生せず、かつ、脚部１１３がガイド穴７ａに案内されてスムーズに摺動できるように構成した。したがって、突起部１１１の軸線ＡＸ方向と異なる方向に突起部１１１が押圧されても、レリーズボタン１１０は外観カバー６および基板７に対して垂直に移動するので、確実にドームスイッチ１２０を動作させることができる。これにより、レリーズスイッチ１００および電子カメラの動作の確実性を向上できる。
【００２７】
（３）  鍔部１１２の外径を穴６ａの内径よりも大きくすることで、シール部材１４０を介して鍔部１１２を外観カバー６の穴６ａの周囲の面に当接させて、レリーズボタン１１０の上方への移動を規制するように構成した。
【００２８】
たとえば、従来のレリーズスイッチには、鍔部１１２の代わりに、脚部１１３に相当する部位の先端に、この部位の延在方向と略直交する方向にフック状の突起を設けたものもある。このような従来のレリーズスイッチでは、この突起を基板７の上面から下面に向かって穴７ａに挿通させて、基板の下面で突起が穴７ａの周囲に引っかかるようにすることで、レリーズボタンの上方へ移動を規制している。しかし、このような従来のレリーズスイッチでは、組み立て時に突起を穴７ａに挿通させる必要があるため、穴７ａの直径が脚部１１３に相当する部位の直径よりも必要以上に大きくなるため、レリーズスイッチのがたつきが生じてしまう。
【００２９】
これに対し、上述したレリーズスイッチ１００では、レリーズスイッチ１００の組み立ての際に、レリーズボタン１１０の上方への移動を規制するための部位を、レリーズボタン１１０を案内する開口６ａや穴７ａに通す必要がなくなる。これにより、レリーズボタン１１０を案内する開口６ａや穴７ａと、案内される突起部１１１や脚部１１３との寸法差を縮めることができるので、レリーズボタン１１０のがたつきが抑制されて操作性が向上する。
【００３０】
（４）  脚部６ｂと位置決め穴７ｂとによって、外観カバー６と基板７との図２（ａ）における紙面の左右方向および紙面に垂直な方向への移動を規制するように構成した。これにより、基板７のガイド穴７ａに案内されるレリーズボタン１１０と、外観カバー６の開口６ａとの位置関係が正確に定まるので、突起部１１１と開口６ａとの隙間を小さくして、外観上の見栄えをよくできるとともに、レリーズボタン１１０のがたつきを抑制して操作性を向上できる。
【００３１】
（５）  離間した２本の脚部１１３と、脚部１１３に対応する基板７のガイド穴７ａとを設けて、脚部１１３をガイド穴７ａで案内するとともに、２本の脚部１１３の間にドームスイッチ１２０が配設されるように構成した。したがって、レリーズボタン１１０が脚部１１３の延在方向に沿って真っ直ぐに案内されるとともに、ドームスイッチ１２０を接点押圧部１１４で真っ直ぐに圧下できる。これにより、レリーズスイッチ１００の各部に無理な力が加わることなく、確実にドームスイッチ１２０を動作させることができるので、レリーズスイッチ１００および電子カメラの動作の確実性を向上できる。
【００３２】
（６）  外観カバー６と鍔部１１２との間にシール部材１４０を配設したので、外部の塵埃等がカメラボディ１の内部に侵入し難くなり、レリーズスイッチ１００および電子カメラの動作の信頼性を向上できる。また、カメラボディ１を上方から見ても、開口６ａと突起部１１１との隙間からシール部材１４０は見えるがカメラボディ１の内部は見えないのでレリーズスイッチ１００および電子カメラの見栄えがよくなる。
【００３３】
（７）  コイルバネ１３０を脚部１１３に沿って備えて、レリーズボタン１１０を上方に付勢するように構成した。これにより、圧下された後のレリーズボタン１１０を確実に圧下前の位置に戻すことができるとともに、不用意なレリーズボタンの圧下を防止できる。これにより、レリーズスイッチ１００からユーザの所望する信号を確実に出力できるので、レリーズスイッチ１００の信頼性を向上できるとともに、電子カメラをユーザの意図するとおりに動作させることができる。また、脚部１１３がコイルバネ１３０の位置決め部材としても機能するので、レリーズスイッチ１００の構成を単純化でき、レリーズスイッチ１００および電子カメラのコスト増を抑制できる。
【００３４】
−−−変形例−−−
（１）  上述の説明では、離間した２本の脚部１１３と、脚部１１３に対応する基板７のガイド穴７ａとを設けるように構成したが、本発明はこれに限定されない。たとえば、脚部１１３およびガイド穴７ａを、１組だけ設けてもよく、３組以上設けてもよい。但し、レリーズボタン１１０が圧下された際に真っ直ぐ下方に移動しやすくなるように、脚部１１３およびガイド穴７ａは、接点押圧部１１４を中心として軸対象に複数組設けられることが望ましい。
【００３５】
（２）  上述の説明では、レリーズボタン１１０の突起部１１１は円柱状であるが、楕円柱であってもよく、三角柱や四角柱のように多角柱であってもよい。
【００３６】
（３）  上述の説明では、脚部６ｂは円柱状の突設部位であるが、本発明はこれに限定されない。脚部６ｂが位置決め穴７ｂに挿入されることで、外観カバー６と基板７との、図２（ａ）における紙面の左右方向および紙面に垂直な方向への移動が規制されるように構成されていれば、脚部６ｂは楕円柱であってもよく、三角柱や四角柱のように多角柱であってもよい。位置決め穴７ｂの形状についても同様である。
【００３７】
（４）  上述の説明では、脚部１１３は円柱状の突設部位であるが、本発明はこれに限定されない。脚部１１３がガイド穴７ａに挿入されてもがたつきが発生せず、かつ、脚部１１３がガイド穴７ａに対してスムーズに摺動できるように構成されていれば、脚部１１３は楕円柱であってもよく、三角柱や四角柱のように多角柱であってもよい。ガイド穴７ａの形状についても同様である。
【００３８】
（５）  上述の説明では、外観カバー６および基板７は、それぞれカメラボディ１の不図示の取付部に取り付けられることで、互いに所定距離だけ離間するように構成されているが、本発明はこれに限定されない。たとえば、図３に示すように、脚部６ｂの代わりに、段付き形状に形成した脚部６ｃを外観カバー６に設けて、その先端を位置決め穴７ｂに挿入することで、外観カバー６および基板７が互いに所定距離だけ離間するように構成してもよい。すなわち、脚部６ｃの先端で小径に加工された先端部６ｅを位置決め穴７ｂに挿入することで、上述の説明と同様に、外観カバー６と基板７との、図３における紙面の左右方向および紙面に垂直な方向への移動を規制する。そして、脚部６ｃの大径部分６ｄと先端部６ｅとの境の段付き部分を基板７の上面に当接させることで、外観カバー６と基板７との離間距離を規定する。このように構成することで、外観カバー６と基板７との相対位置を決定できる。
【００３９】
（６）  上述の説明では、外観カバー６と鍔部１１２との間にシール部材１４０を配設しているが、シール部材１４０を設けることは必須ではなく、あまり密閉性が要求されない場合には、シール部材１４０を設けなくてもよい。
【００４０】
（７）  上述の説明では、電子カメラのレリーズスイッチ１００について説明したが、本発明はこれに限らず、レリーズボタン１１０のような操作部材をある方向に移動させることにより接点を操作するスイッチであれば、様々なスイッチ適用できる。また、電子カメラに限らず、ビデオカメラや、携帯電話、携帯情報端末など様々な電子機器に本発明を適用できる。なお、ドームスイッチ１２０は、圧下ストロークに応じて、オフ信号と、第１のオン信号と、第２のオン信号とを出力するように構成されているが、本発明はこれに限定されず、圧下ストロークに応じて、単にオフ信号とオン信号とを出力するものであってもよく、オフ信号と、圧下ストロークに応じた３以上のオン信号とを出力するものであってもよい。
【００４１】
（８）  上述の説明では、レリーズスイッチ１００は、いわゆる自動復帰型のスイッチであるが、本発明はこれに限らず、押す力を取り除いても動作状態を保ち続け、さらにもう一度押すと元の自由状態に復帰する位置保持型のスイッチに適用してもよい。また、たとえば、ボタンが押し下げられたら下がったままとなり、他のボタン（たとえば解除ボタン）が押されると、下がっていたボタンが復帰するというようなスイッチに本発明を適用してもよい。
（９）  上述した各実施の形態および変形例は、それぞれ組み合わせてもよい。
【００４２】
なお、本発明は、上述した実施の形態のものに何ら限定されず、操作部材を第１の方向に移動させることにより接点を操作するスイッチであって、第１の基板の第１の開口部の開口に案内される突起部と、第１の基板と第２の基板との間に備えられ第１の開口部により移動が規制される鍔部と、第２の開口部の開口に案内される脚部とを有する操作部材とを備える各種構造のスイッチ、およびこのスイッチを用いた各種の電子機器を含むものである。
【図面の簡単な説明】
【００４３】
【図１】本発明によるスイッチを用いた電子カメラを示した斜視図である。
【図２】レリーズスイッチ１００の詳細を示す図であり、（ａ）はレリーズスイッチ１００の近傍をカメラボディ１の上方から見た図であり、（ｂ）は（ａ）のＢ−Ｂ断面図である。
【図３】変形例を示す図である。
【符号の説明】
【００４４】
１  カメラボディ                      ６  外観カバー
６ａ  開口                            ６ｂ  脚部
７  基板                              ７ａ  ガイド穴
７ｂ  位置決め穴                      １００  レリーズスイッチ
１１０  レリーズボタン                １１１  頭部（突起部）
１１２  鍔部                          １１３  脚部
１２０  ドームスイッチ                １３０  コイルバネ
１４０  シール部材
【図１】
2007280842.tif 000003
【図２】
2007280842.tif 000004
【図３】
2007280842.tif 000005